(57)【要約】【課題】車室内の乗員の保護を十分に行うことができる乗員保護システムを提供すること。【解決手段】本発明の乗員保護システムは、車両（Ｃ）の幅方向の衝撃を検出する第１のセンサ（２１）と、車両の幅方向の衝撃を検出する第２のセンサ（２２）と、各センサ（２１，２２）からの検出信号と、衝突と判定する判定条件と、を比較することで衝突の判定を行う判定手段（１）と、乗員の搭乗位置を判定する搭乗位置判定手段（３）と、を有する乗員保護システムであって、判定手段（１）は、第１のセンサ（２１）の判定条件と第２のセンサ（２２）の判定条件を、搭乗位置に基づいて、それぞれ異なる条件に設定することを特徴とする。【選択図】図１
2014231302.tif 000002
【特許請求の範囲】
【請求項１】
車両（Ｃ）の幅方向の衝撃を検出する第１のセンサ（２１）と、
該車両の幅方向の衝撃を検出する第２のセンサ（２２）と、
各該センサ（２１，２２）からの検出信号と、衝突と判定する判定条件と、を比較することで衝突の判定を行う判定手段（１）と、
乗員の搭乗位置を判定する搭乗位置判定手段（３）と、
を有する乗員保護システムであって、
該判定手段（１）は、該第１のセンサ（２１）の判定条件と該第２のセンサ（２２）の判定条件を、該搭乗位置に基づいて、それぞれ異なる条件に設定することを特徴とする乗員保護システム。
【請求項２】
前記判定手段（１）は、
前記第１のセンサ（２１）と前記第２のセンサ（２２）のうち、衝突位置に近い一方のセンサで衝突と判定する近接判定条件と、
該一方のセンサよりも該衝突位置から遠い他方のセンサで衝突と判定する遠隔判定条件と、
の二つの判定条件を有し、
該第１のセンサ（２１）と該第２のセンサ（２２）のうち前記搭乗位置までの距離が短いセンサの判定を近接判定条件で、距離が長いセンサの判定を該遠隔判定条件で、それぞれ判定する請求項１記載の乗員保護システム。
【請求項３】
前記近接判定条件は、衝突の検知を行う判定条件であり、
前記遠隔判定条件は、該近接判定条件の冗長性を確保するための判定条件である請求項２記載の乗員保護システム。
【請求項４】
前記第１のセンサ（２１）と前記第２のセンサ（２２）は、車両（Ｃ）の一方の側部にもうけられている請求項１〜３のいずれか１項に記載の乗員保護システム。
【請求項５】
前記第１のセンサ（２１）と前記第２のセンサ（２２）は、前記乗員の前記搭乗位置が変化したときの前記車両（Ｃ）での前後方向での両端にもうけられている請求項１〜４のいずれか１項に記載の乗員保護システム。
【請求項６】
前記第１のセンサ（２１）と前記第２のセンサ（２２）は、車両の一つの扉にもうけられている請求項１〜５のいずれか１項に記載の乗員保護システム。
【請求項７】
前記搭乗位置判定手段（３）は、車両の搭乗席（ＳＦＬ）のスライドを検知するシートスライドセンサを有する請求項１〜６のいずれか１項に記載の乗員保護システム。
【発明の詳細な説明】
【技術分野】
【０００１】
本発明は、車両の側方からの衝突時に搭乗している乗員を保護する乗員保護システムに関する。
【背景技術】
【０００２】
車両には、衝突時に乗員を保護する乗員保護システムが取り付けられている。乗員保護システムには、たとえば、衝突時に展開して乗員を保護するエアバッグがある。近年は、車両の前後方向の衝突だけでなく、側方からの衝突に対して乗員の保護を行う乗員保護システムが求められてきている。
【０００３】
従来の車両に搭載された乗員保護システムは、たとえば、特許文献１に開示されている。従来の乗員保護システムは、衝突を検知するセンサと、センサからの信号に基づいて衝突の判定を行う判定手段と、を備え、センサからの検出信号に基づいて判定手段が衝突の判定を行っている。そして、判定手段が衝突と判定したときには、エアバッグやプリテンショナなどの保護手段を作動させている。
【０００４】
そして、従来の乗員保護システムでは、車両の複数箇所にセンサが取り付けられている。つまり、従来の乗員保護システムは、複数のセンサを備えている。さらに、従来の乗員保護システムでは、複数のセンサに、衝突を検知するセンサだけでなく、衝突を検知するセンサの冗長性を確保するためのセーフィングセンサとしても機能させることができる。
【先行技術文献】
【特許文献】
【０００５】
【特許文献１】特開２００７−３０７６６号公報
【発明の概要】
【発明が解決しようとする課題】
【０００６】
従来の乗員保護システムでは、複数のセンサを、乗員の搭乗位置に近接したドアに設置している。この場合、車両内で乗員の位置が変化すると、乗員と衝突を検知するセンサとの距離が長くなり、当該乗員の保護の精度が低下するという問題を生じていた。特に、近年の車両は、運転者以外の乗員の搭乗する搭乗席が、車両の前後方向（進行・後退方向）に大きくスライドできるようになっている。この場合、車両の搭乗席を最前方又は最後方のいずれかにスライドさせた位置に対応してセンサを設置した場合、最後方又は最前方に搭乗席をスライドさせたときに乗員とセンサとの距離が長くなり、乗員の保護が十分でなくなるおそれがあった。
【０００７】
本発明は上記実状に鑑みてなされたものであり、車室内の乗員の保護を十分に行うことができる乗員保護システムを提供することを課題とする。
【課題を解決するための手段】
【０００８】
上記課題を解決するために本発明者等は乗員保護システムに関して検討を重ねた結果、保護すべき乗員の搭乗位置に対応した検知手段からの検出信号に基づいて衝突の判定を行うことで上記課題を解決できることを見出した。
【０００９】
すなわち、本発明の乗員保護システムは、車両の幅方向の衝撃を検出する第１のセンサと、車両の幅方向の衝撃を検出する第２のセンサと、各センサからの検出信号と、衝突と判定する判定条件と、を比較することで衝突の判定を行う判定手段と、乗員の搭乗位置を判定する搭乗位置判定手段と、を有する乗員保護システムであって、判定手段は、第１のセンサの判定条件と第２のセンサの判定条件を、搭乗位置に基づいて、それぞれ異なる条件に設定することを特徴とする。
【００１０】
本発明の乗員保護システムは、各センサからの検出信号と、衝突と判定する判定条件と、を比較することで衝突の判定を行う乗員保護システムであって、第１のセンサの判定条件と第２のセンサの判定条件を、搭乗位置判定手段に判定された搭乗位置に基づいて、それぞれ異なる条件に設定している。この場合、第１のセンサの判定条件と、第２のセンサの判定条件を、それぞれ最適な条件とすることができる。つまり、それぞれのセンサの判定条件を、乗員の搭乗位置に基づいて設定することで、適切な衝突の判定及び乗員の保護を行うことができる。
【００１１】
本発明の乗員保護システムでは、判定手段は、第１のセンサと第２のセンサのうち、衝突位置に近い一方のセンサで衝突と判定する近接判定条件と、一方のセンサよりも衝突位置から遠い他方のセンサで衝突と判定する遠隔判定条件と、の二つの判定条件を有し、第１のセンサと第２のセンサのうち搭乗位置までの距離が短いセンサの判定を近接判定条件で、距離が長いセンサの判定を遠隔判定条件で、それぞれ判定することが好ましい。
【００１２】
本発明の乗員保護システムでは、判定手段が、近接判定条件と遠隔判定条件の二つの判定条件を有することで、搭乗位置判定手段に判定された搭乗位置に対応した判定条件をその都度算出する場合に比べて、算出のステップを有していないため、衝突の判定をロスなく行うことができる。
【００１３】
その上で、本発明の乗員保護システムでは、第１のセンサと第２のセンサのうち搭乗位置までの距離が短いセンサの判定を近接判定条件で、距離が長いセンサの判定を遠隔判定条件で、それぞれ判定する。近接判定条件は、近距離での衝突の判定の判定条件であり、搭乗位置に近い衝突の判定に特に効果を発揮する。また、遠隔判定条件は、近接判定条件よりも離れたセンサに対する判定条件であり、近接判定条件に対して補助的な判定条件として機能することができる。そして、本発明の乗員保護システムでは、第一の及び第２のセンサの判定条件を、乗員の搭乗位置に応じて二つの判定条件から適宜選択する。つまり、車両内で乗員の搭乗位置が変化しても、二つのセンサの判定条件を入れ替えることで、確実な衝突の検知及び適切な乗員の保護を達成できる。
【発明の効果】
【００１４】
本発明の乗員保護システムは、二つのセンサにおける衝突の判定条件を、車両に搭乗した乗員の搭乗位置により異なるものに設定することができる。つまり、それぞれのセンサの判定条件を最適な条件に設定できる。この結果、本発明の乗員保護システムは、衝突の検知を精度よく行うことができ、その結果、適切な乗員の保護を行うことができる。
【図面の簡単な説明】
【００１５】
【図１】実施形態の乗員保護システムが搭載された車両の構成を示した概略図である。
【図２】実施形態の乗員保護システムのＥＣＵの動作を示した図である。
【図３】実施形態の乗員保護システムが搭載された車両に衝突形態を示した概略図である。
【図４】実施形態の乗員保護システムが搭載された車両に衝突形態を示した概略図である。
【図５】比較形態の乗員保護システムが搭載された車両の構成を示した概略図である。
【発明を実施するための形態】
【００１６】
本発明の乗員保護システムは、車両の幅方向の衝撃を検出する第１のセンサと、車両の幅方向の衝撃を検出する第２のセンサと、各センサからの検出信号と、衝突と判定する判定条件と、を比較することで衝突の判定を行う持つ判定手段と、乗員の搭乗位置を判定する搭乗位置判定手段と、を有する乗員保護システムである。
【００１７】
本発明の乗員保護システムは、第１のセンサ及び第２のセンサの二つのセンサを有している。この二つのセンサは、いずれも独立したセンサであり、車両の幅方向の衝撃を検出する。つまり、二つのセンサは、それぞれ車両の側方に被衝突物が衝突したときの衝撃を検知する。
【００１８】
ここで、二つのセンサの具体的な構成は、限定されるものではなく、従来の乗員保護システムで衝突の検知に用いられるセンサを用いることができる。このセンサの種類としては、たとえば、車両への衝突の衝撃を加速度変化として検知する加速度センサや、ドアの変形による内圧の変化から車両への衝突を検出する圧力センサ、等のセンサをあげることができる。
【００１９】
判定手段は、各センサからの検出信号と、衝突と判定する判定条件と、を比較することで衝突の判定を行う。すなわち、判定手段が、各センサからの検出信号と、衝突と判定する判定条件と、を比較することで、本発明の乗員保護システムが衝突の判定を行うことができる。なお、本発明では、第１のセンサの検出信号と第２のセンサの検出信号と、衝突と判定するそれぞれに対応した判定しきい値と、を比較して、二つの検出信号のいずれもが判定しきい値を超えたときに衝突と判定する。
【００２０】
判定手段は、各センサからの検出信号と、衝突と判定する判定条件としての判定しきい値と、を比較することで衝突の判定を行うことができる。各センサからの検出信号は、その信号の種類が限定されるものではなく、センサが出力する信号のみだけでなく、反転，増幅等の処理や、積分等の処理を行った処理後の信号であってもよい。判定しきい値は、本発明の乗員保護システムにおいて、衝突と判定するためのしきい値であれば、限定されるものではない。
【００２１】
そして、判定しきい値は、予め決定しておいても、車両の状態から算出しても、いずれでもよい。また、判定しきい値は、各センサからの検出信号と比較したときに、衝突と判定できる形態であればよく、検出信号からの値が予め決定された判定しきい値を超える（あるいは、判定しきい値を下回る）場合に衝突と判定する形態であっても、検出信号からの値が予め決定された範囲（判定しきい値の範囲）を外れる場合に衝突と判定する形態であっても、いずれでもよい。
判定手段は、従来の乗員保護システムにおいて、衝突の判定を行っている手段を用いることができ、たとえば、演算ユニット（ＥＣＵ）をあげることができる。
【００２２】
本発明の乗員保護システムは、乗員の搭乗位置を判定する搭乗位置判定手段を有する。搭乗位置判定手段を有することで、乗員の搭乗位置を判定することができ、衝突の判定を搭乗位置に基づいて適切に行うことができる。特に、乗員の保護が必要な衝突の判定を行うことができる。
【００２３】
そして、本発明の乗員保護システムは、判定手段が、第１のセンサの判定条件と第２のセンサの判定条件を、搭乗位置に基づいて、それぞれ異なる条件に設定する。
【００２４】
本発明の乗員保護システムは、判定手段において、第１のセンサの判定条件と第２のセンサの判定条件を、それぞれ異なる条件に設定する。これにより、第１のセンサと第２のセンサとで、異なる判定条件とすることができ、二つのセンサの検出信号から衝突の判定を行うことで、より確実に衝突の判定を行うことができる。
【００２５】
その上で、本発明の乗員保護システムは、衝突の判定に用いられる判定条件を、乗員の搭乗位置に基づいて決定する。つまり、搭乗位置に近いセンサにおける判定条件を、より高い精度を備えた判定条件（判定しきい値）に設定することができる。
【００２６】
すなわち、本発明の乗員保護システムは、乗員の搭乗位置からそれぞれのセンサに適用される判定条件を決定することで、より高い精度で衝突の判定を行うことができ、判定結果に基づいて乗員の保護をより適切に行うことができる。
【００２７】
本発明の乗員保護システムは、判定手段が、第１のセンサと第２のセンサのうち、衝突位置に近い一方のセンサで衝突と判定する近接判定条件と、一方のセンサよりも衝突位置から遠い他方のセンサで衝突と判定する遠隔判定条件と、の二つの判定条件を有し、第１のセンサと第２のセンサのうち搭乗位置までの距離が短いセンサの判定を近接判定条件で、距離が長いセンサの判定を遠隔判定条件で、それぞれ判定することが好ましい。
【００２８】
本発明の乗員保護システムでは、判定手段が、近接判定条件と遠隔判定条件の二つの判定条件を有することで、搭乗位置判定手段に判定された搭乗位置に対応した判定条件をその都度算出する場合に比べて、算出のステップを有していないため、衝突の判定をロスなく行うことができる。
【００２９】
その上で、本発明の乗員保護システムでは、第１のセンサと第２のセンサのうち搭乗位置までの距離が短いセンサの判定を近接判定条件で、距離が長いセンサの判定を遠隔判定条件で、それぞれ判定することができる。近接判定条件は、近距離での衝突の判定に用いる判定条件であり、搭乗位置に近い衝突の判定に特に効果を発揮する。また、遠隔判定条件は、近接判定条件よりも離れたセンサにおける判定条件であり、近接判定条件に対して補助的な判定条件として機能することができる。そして、本発明の乗員保護システムでは、第一の及び第２のセンサの判定条件を、乗員の搭乗位置に応じて二つの判定条件から適宜選択する。つまり、車両内で乗員の搭乗位置が変化しても、二つのセンサの判定条件を入れ替えることで、確実な衝突の検知及び適切な乗員の保護を達成できる。
【００３０】
本発明の乗員保護システムは、近接判定条件は、衝突の検知を行う判定条件であり、遠隔判定条件は、近接判定条件の冗長性を確保するための判定条件であることが好ましい。
【００３１】
近接判定条件は、遠隔判定条件よりも衝突位置に近い位置での衝突を検知する判定条件である。そして、本発明の乗員保護システムにおいて、近接判定条件は、乗員の搭乗位置に近いセンサに適用される。つまり、乗員の搭乗位置近傍で衝突が発生したときに、その衝突の判定を行うことができる。
【００３２】
遠隔判定条件は、近接判定条件の冗長性を確保するための判定条件である。遠隔判定条件は、近接判定条件において衝突の判定を行うときの補助に用いられる。
【００３３】
本発明の乗員保護システムでは、近接判定条件は、衝突の検知を行うメインセンサ用の判定条件であり、遠隔判定条件は、セーフィングセンサ用の判定条件であることがより好ましい。
【００３４】
本発明の乗員保護システムにおいて、第１のセンサと第２のセンサは、車両の一方の側部にもうけられていることが好ましい。二つのセンサが車両の一方の側部（同一の側部）にもうけられていることで、二つのセンサ間の距離を短くすることができるようになり、二つのセンサのそれぞれの検出信号の間隔を短くすることができ、より素早く衝突の判定を行うことができる。
【００３５】
本発明の乗員保護システムにおいて、第１のセンサと第２のセンサは、乗員の搭乗位置が変化したときの車両での前後方向での両端にもうけられていることが好ましい。乗員の搭乗位置の前後端に二つのセンサを配置することで、保護すべき乗員が搭乗位置を変化しても、二つのセンサのいずれかから乗員までの距離が所定の距離以下となるため、判定条件を衝突の判定を行う条件で設定できる。
【００３６】
本発明の乗員保護システムにおいて、第１のセンサと第２のセンサは、車両の一つの扉にもうけられていることが好ましい。二つのセンサが、一つの扉（同一の扉）にもうけられることで、二つのセンサの距離を短くすることができ、より素早く衝突の判定を行うことができる。
【００３７】
本発明の乗員保護システムにおいて、搭乗位置判定手段は、乗員の車室内での搭乗位置を判定できる手段であれば、限定されるものではない。また、本発明において乗員の搭乗位置とは、乗員の着座位置であることが好ましく、乗員の頭部の位置であることがより好ましい。
【００３８】
この搭乗位置判定手段としては、たとえば、車両の搭乗席のスライド（スライド量やスライド後の位置）を検知するシートスライドセンサ，車室内を撮影して撮影結果から搭乗位置を判定する手段，（乗員が保持する発信器からの）乗員が発する信号（電波，音波）を受信して搭乗位置を判定する手段等の手段をあげることができる。
【００３９】
車両の搭乗席のスライドを検知するシートスライドセンサを有することが好ましい。シートスライドセンサは、スライド後の搭乗席の車室内で位置（乗員の搭乗位置）を判定することができる。
【００４０】
車両の搭乗席が、乗員の着座状態を判定する着座状態判定手段を有することが好ましい。搭乗位置判定手段が、乗員の着座状態を判定する着座状態判定手段を有することで、乗員の着座位置だけでなく乗員の頭部の位置を判定することができ、より高い精度で乗員の保護を行うことができる。
【００４１】
ここで、着座状態判定手段としては、乗員がその搭乗席に着座しているか否かの判定を行う手段や、搭乗席のリクライニング（リクライニングの有無やリクライニング量）の判定を行うセンサをあげることができる。さらに、着座状態判定手段としては、乗員の体格を判定してもよい。
【００４２】
本発明の乗員保護システムが搭載される車両がシートポジション等の搭乗席の位置情報を記憶する装置を有する場合、搭乗位置判定手段をこの記憶装置に記憶された位置情報に利用することもできる。
本発明の乗員保護システムは、上記した構成以外の構成については特に限定されるものではなく、従来公知の構成を採用することができる。
【００４３】
すなわち、本発明の乗員保護システムが搭載される車両については、各センサ，各判定手段等の手段が搭載される車両については、限定されるものではない。また、各手段の接続についても、それぞれの機能を発揮できる形態であれば限定されるものではない。
【００４４】
本発明の乗員保護システムは、上記したように衝突の判定を行うことを特徴とするものであり、衝突の判定が行われた後に、乗員の保護を行う手段（デバイス）を搭載していていることが好ましい。
乗員の保護を行う手段（デバイス）としては、サイドエアバッグ，カーテンエアバッグ等のエアバッグや、シートプリテンショナをあげることができる。
【実施例】
【００４５】
以下、実施形態例を用いて具体的に本発明を説明する。なお、以下の実施形態は、本発明を具体的に示した実施形態の一例であり、本発明は以下の実施形態に限定されるものではない。
本発明の実施形態例として、車両に搭載された乗員保護システムでの衝突の検知を具体的に説明する。
【００４６】
［実施形態］
本形態は、図１にその概略が示された車両（車室）Ｃにもうけられた乗員保護システムである。本形態は、上記した本発明の乗員保護システムを具体的に説明する形態である。
【００４７】
図１に示したように、車両Ｃは、前後左右にそれぞれ２席の搭乗席を備えている。すなわち、前席右ＳＦＲ，前席左ＳＦＬ，後席右ＳＲＲ，後席左ＳＲＬの４つの搭乗席を備えている。前席右ＳＦＲが運転席に該当する。本形態において、図１に示したように、前席左ＳＦＬは、前席右ＳＦＲの隣から後席左ＳＲＬ付近まで前後方向に大きくスライド可能に構成されている。
【００４８】
そして、本形態では、車両Ｃの右側部には、前席右ドアＤＦＲ，後席右ドアＤＲＲの二つのドアが、車両Ｃの右側部には、一つの左ドアＤＬがもうけられている。本形態において左ドアＤＬは、大きくスライドする前席左ＳＦＬに対応して、大きな開口を持つことができる様に、車両の左側部で前後方向にスライドする。
【００４９】
本形態の乗員保護システムは、電子制御ユニット（ＥＣＵ）１と、複数のサテライトセンサ２１，２２と、シートスライドセンサ３と、サイドエアバッグ４と、を備えている。ＥＣＵ１，複数のサテライトセンサ２１，２２及びシートスライドセンサ３のそれぞれ，サイドエアバッグ４は、図示されない通信線で接続されている。
【００５０】
ＥＣＵ１は、車両Ｃのほぼ中央に配設されており、車両Ｃに加わった衝突の判定及びサイドエアバッグ４の起動制御を行う。なお、ＥＣＵ１は、センサ２１からＥＣＵ１までの距離が、センサ２１からセンサ２２までの距離よりも長い位置に配設されている。また、センサ２２からＥＣＵ１までの距離が、センサ２２からセンサ２１までの距離よりも長い位置でもある。
【００５１】
ＥＣＵ１は、シートスライドセンサ３からの検出信号から、前席左ＳＦＬの車両Ｃにおける位置を判定し、センサ２１，２２からの検出信号を衝突の判定に用いる場合に利用する判定しきい値を決定する。そして、各センサ２１，２２からの検出信号と、先に決定された判定しきい値と、を比較することで衝突の判定を行う。
【００５２】
具体的には、ＥＣＵ１は、シートスライドセンサ３からの検出信号から、前席左ＳＦＬの車両Ｃにおける位置を判定し、衝突と判定する判定しきい値を決定する。そして、各サテライトセンサ２１，２２からの検出信号と、シートスライドセンサ３から決定される衝突と判定する判定しきい値と、を比較することで衝突の判定を行う。衝突の判定の結果、エアバッグ４の起動を判定する。
【００５３】
本形態においてＥＣＵ１は、判定しきい値として二つの判定しきい値（近接用判定しきい値，遠隔用判定しきい値）を備えている。本形態において、近接用判定しきい値は、そのセンサの側方に乗員がいる場合に適用される判定しきい値である。遠隔用判定しきい値は、近接用判定しきい値による判定結果の冗長性を確保するための判定しきい値である。
【００５４】
そして、シートスライドセンサ３からの検出信号から、前席左ＳＦＬがセンサ２２よりもセンサ２１に近接していると判定される場合には、センサ２１からの検出信号は、近接用判定しきい値を判定しきい値として判定が行われる。このとき、センサ２２からの検出信号は、遠隔用判定しきい値を判定しきい値として判定が行われる。
【００５５】
逆に、前席左ＳＦＬがセンサ２１よりもセンサ２２に近接していると判定される場合には、センサ２２からの検出信号は、近接用判定しきい値を判定しきい値として判定が行われる。このとき、センサ２１からの検出信号は、遠隔用判定しきい値を判定しきい値として判定が行われる。
【００５６】
本形態例の乗員保護システムでＥＣＵ１は、具体的には、図２に示したフローチャートに沿って動作する（衝突の判定を行う）。ＥＣＵ１では、二つのセンサ２１とセンサ２２とが、ともに衝突と判定した場合に、エアバッグ４の起動の指示を行う。図２には、センサ２１での衝突の判定と、センサ２２での衝突の判定が、ほぼ同時に進行する形態を示したが、近接用判定しきい値を用いる判定が完了した後に、遠隔用判定しきい値を用いる判定が開始する態様であってもよい。
【００５７】
本形態の乗員保護システムは、左ドアＤＬに二つのサテライトセンサ２１，２２が配設されている。図１に示したように、左ドアＤＬの前方側にサテライトセンサ２１が、後方側にサテライトセンサ２２が、それぞれ配設されている。
【００５８】
サテライトセンサ２１は、大きくスライド可能な前席左ＳＦＬを最前方にスライドさせた状態でほぼ側方となる位置に配設されている。サテライトセンサ２２は、前席左ＳＦＬを最後方にスライドさせた状態でほぼ側方となる位置に配設されている。すなわち、本形態の乗員保護システムでは、前席左ＳＦＬを前方の端部にスライドさせたときに、その側方にセンサ２１が、後方の端部にスライドさせたときにその側方にセンサ２２が、それぞれ位置するように配設されている。
【００５９】
シートスライドセンサ３は、前後方向にスライド可能な前席左ＳＦＬに配設されている。本形態では、シートスライドセンサ３は、前席左ＳＦＬの車両Ｃにおける位置（前後方向での位置）を検知する。
【００６０】
なお、本形態では、シートスライドセンサ３は、前席左ＳＦＬの車両Ｃにおける位置を検知するセンサを用いたが、シートスライドレールの前方端又は後方端からの距離を測定して前席左ＳＦＬの位置を求めるセンサであってもよい。
【００６１】
サイドエアバッグ４は、車両の側部にもうけられ、搭乗席Ｓに搭乗した乗員を保護する。サイドエアバッグ４は、ＥＣＵ１からの起動信号により作動（起動）する。サイドエアバッグ４は、４つの搭乗席のそれぞれに配設されており、図１では前席左ＳＦＬのみ図示した（他は図略）。
【００６２】
［乗員保護システムの動作］
本形態例において車両Ｃの側方からの衝突が発生したときの動作について具体的に説明する。
【００６３】
［搭乗席ＳＦＬが最前方に位置している場合］
本衝突形態は、搭乗席ＳＦＬが最前方に位置している場合（フロントモースト）で、側方からの衝突が生じた場合である。本衝突形態における衝突位置及び搭乗席ＳＦＬの位置を図３に示した。
まず、ＥＣＵ１は、予め決定されている所定の周期（たとえば０．５ｍｓ周期）で各センサ２１，２２，３の検出信号を取り込んでいる。
【００６４】
ＥＣＵ１は、シートスライドセンサ３からの検出信号を参照し、前席左ＳＦＬが最前方に位置していると判定し、センサ２１の検出信号の判定に用いられる判定しきい値を近接用判定しきい値に設定する。合わせて、センサ２２の検出信号の判定に用いられる判定しきい値を遠隔用判定しきい値に設定する。（図２中の”シートスライドセンサ３”〜”センサ２２判定しきい値設定”の各ステップにそれぞれ相当。）
そして、車両Ｃに衝突が発生し、衝突の衝撃が車両Ｃを伝達する。
【００６５】
車両Ｃに衝突が発生すると、その衝撃は、まず、車両Ｃを介してセンサ２１に、その後、センサ２２に伝達する。この衝撃の伝達時間は、衝突部位からの距離に比例するものであり、センサ２１にはただちに、センサ２２にはわずかにおくれて、それぞれ伝達される。（図２中の”センサ２１検出信号入力”〜”センサ２２処理済み信号出力”の各ステップに相当。）
【００６６】
最初に衝突が検知されるまでの間は、衝突を検知していない状態である。各センサ２１，２２が衝突を検知していないため、各センサ２１，２２からの検出信号に基づいた衝突の判定が行われない。すなわち、サイドエアバッグ４が起動されない。（図２中の”センサ２１演算値≧判定しきい値”で”Ｎｏ”の判定に相当。）
衝突の衝撃が伝達すると、二つのセンサ２１，２２のそれぞれは、衝撃に起因する検出信号をＥＣＵ１に向けて発する。
【００６７】
ＥＣＵ１では、入力された二つのセンサ２１，２２の検出信号を判定しきい値との比較に利用できるように処理（本形態では積分値を求める）し、処理された検出信号を出力する。出力された検出信号は、判定しきい値（近接判定しきい値）と比較される。（図２中の”センサ２１演算値≧判定しきい値”のステップに相当。）
【００６８】
センサ２１の検出信号が判定しきい値（近接判定しきい値）を超えていると判定できたとき（図２中の”センサ２１演算値≧判定しきい値”で”Ｙｅｓ”の判定に相当。）、センサ２２の判定結果が参照される。センサ２１の検出信号が判定しきい値（近接判定しきい値）未満である場合（図２中の”センサ２１演算値≧判定しきい値”で”Ｎｏ”の判定に相当。）には、乗員を保護すべき衝突ではない（エアバッグ４を起動すべき衝突でない）と判定し、当該判定を終了する（衝突の検知前の状態に戻る）。
【００６９】
そして、参照されたセンサ２２の検出信号が判定しきい値（遠隔判定しきい値）を超えていると判定できたとき（図２中の”センサ２２演算値≧判定しきい値”で”Ｙｅｓ”の判定に相当。）、すなわち、二つのセンサ２１，２２の検出信号がいずれも判定しきい値を超えたとき、検出された衝突が乗員を保護すべき衝突である（エアバッグ４を起動すべき衝突である）と判定する。
【００７０】
そして、ＥＣＵ１は、エアバッグ４を起動する（図２中の”エアバッグ４起動信号”のステップに相当）。具体的には、エアバッグ４を展開するためのインフレータに対して、起動信号を送信する。エアバッグ４は、起動信号を受信したら、インフレータを起動してエアバッグ４を展開して乗員を保護する（図２中の”ＥＮＤ（エアバッグ４起動）”のステップに相当）。
【００７１】
［搭乗席ＳＦＬが最後方に位置している場合］
本衝突形態は、搭乗席ＳＦＬが最後方に位置している場合（リアモースト）で、側方からの衝突が生じた場合である。本衝突形態における衝突位置及び搭乗席ＳＦＬの位置を図４に示した。
まず、ＥＣＵ１は、予め決定されている所定の周期（たとえば０．５ｍｓ周期）で各センサ２１，２２，３の検出信号を取り込んでいる。
【００７２】
ＥＣＵ１は、シートスライドセンサ３からの検出信号を参照し、前席左ＳＦＬが最後方に位置していると判定し、センサ２１の検出信号の判定に用いられる判定しきい値を遠隔用判定しきい値に設定する。合わせて、センサ２２の検出信号の判定に用いられる判定しきい値を近接用判定しきい値に設定する。
そして、車両Ｃに衝突が発生し、衝突の衝撃が車両Ｃを伝達する。衝突の衝撃は、上記したように、まず、センサ２２に、その後、センサ２１に伝達する。
【００７３】
最初に衝突が検知されるまでの間は、衝突を検知していない状態である。各センサ２１，２２が衝突を検知していないため、各センサ２１，２２からの検出信号に基づいた衝突の判定が行われない。すなわち、サイドエアバッグ４が起動されない。
衝突の衝撃が伝達すると、二つのセンサ２１，２２のそれぞれは、衝撃に起因する検出信号をＥＣＵ１に向けて発する。
【００７４】
ＥＣＵ１では、入力された二つのセンサ２１，２２の検出信号を判定しきい値との比較に利用できるように処理（本形態では積分値を求める）し、処理された検出信号を出力する。出力された検出信号は、判定しきい値（近接判定しきい値）と比較される。
【００７５】
センサ２２の検出信号が判定しきい値（近接判定しきい値）を超えていると判定できたとき、センサ２１の判定結果が参照される。センサ２２の検出信号が判定しきい値（近接判定しきい値）を未満である場合には、上記の衝突形態と同様に、乗員を保護すべき衝突ではない（エアバッグ４を起動すべき衝突でない）と判定する。
【００７６】
そして、参照されたセンサ２１の検出信号が判定しきい値（遠隔判定しきい値）を超えていると判定できたとき（二つのセンサ２１，２２の検出信号がいずれも判定しきい値を超えたとき）、検出された衝突が乗員を保護すべき衝突である（エアバッグ４を起動すべき衝突である）と判定する。
【００７７】
［比較形態］
本形態は、図５にその概略が示された車両（車室）Ｃにもうけられた乗員保護システムである。
本形態は、特に言及しない構成は、上記した実施形態の乗員保護システムと同様の構成である。
【００７８】
本形態の乗員保護システムは、図５に示したように、左ドアＤＬに一つのサテライトセンサ２１が配設され、ＥＣＵ１がセーフィングセンサ（図示せず）を備え、シートスライドセンサを備えていない構成となっていること以外は、上記した実施形態の乗員保護システムと同様の構成である。
【００７９】
ＥＣＵ１は、車両Ｃのほぼ中央に配設されており、車両Ｃに加わった衝突の判定及びサイドエアバッグ４の起動制御を行う。また、ＥＣＵ１は、セーフィングセンサ（図示せず）を備えており、セーフィングセンサの検出結果は、車両Ｃに加わった衝突の判定に利用される。
【００８０】
具体的には、ＥＣＵ１は、サテライトセンサ２１及びセーフィングセンサからの検出信号と、シートスライドセンサ３から決定される衝突と判定する判定しきい値と、を比較することで衝突の判定を行う。衝突の判定の結果、エアバッグ４の起動を判定する。
【００８１】
［乗員保護システムの動作］
本比較形態例において車両Ｃの側方からの衝突が発生したときの動作について具体的に説明する。
［搭乗席ＳＦＬが最前方に位置している場合］
本衝突形態は、上記の図３に示した衝突形態と同様の衝突が生じた場合である。
まず、ＥＣＵ１は、予め決定されている所定の周期（たとえば０．５ｍｓ周期）でセンサ２１の検出信号を取り込んでいる。
そして、車両Ｃに衝突が発生し、衝突の衝撃が車両Ｃを伝達する。
【００８２】
車両Ｃに衝突が発生すると、その衝撃は、まず、車両Ｃを介してセンサ２１に、その後、セーフィングセンサに伝達する。この衝撃の伝達時間は、上記のように衝突部位からの距離に比例するものであり、センサ２１に伝達した後、セーフィングセンサに、それぞれ伝達される。
【００８３】
最初に衝突が検知されるまでの間は、衝突を検知していない状態である。センサ２１が衝突を検知していないため、センサ２１からの検出信号に基づいた衝突の判定が行われない。すなわち、サイドエアバッグ４が起動されない。
衝突の衝撃が伝達すると、センサ２１は、衝撃に起因する検出信号をＥＣＵ１に向けて発する。
ＥＣＵ１では、上記と同様に入力されたセンサ２１の検出信号を判処理し、判定しきい値（上記の近接判定しきい値と同様に設定されたしきい値）と比較する。
【００８４】
センサ２１の検出信号が判定しきい値を超えていると判定できたとき、セーフィングセンサの判定結果が参照される。センサ２１の検出信号が判定しきい値未満である場合には、乗員を保護すべき衝突ではない（エアバッグ４を起動すべき衝突でない）と判定し、当該判定を終了する（衝突の検知前の状態に戻る）。
【００８５】
そして、参照されたセーフィングセンサの検出信号が判定しきい値（上記の遠隔判定しきい値と同様な判定しきい値）を超えていると判定できたとき（センサ２１及びセーフィングセンサの検出信号がいずれも判定しきい値を超えたとき）、検出された衝突が乗員を保護すべき衝突である（エアバッグ４を起動すべき衝突である）と判定する。
【００８６】
そして、ＥＣＵ１は、エアバッグ４を起動する。具体的には、エアバッグ４を展開するためのインフレータに対して、起動信号を送信する。エアバッグ４は、起動信号を受信したら、インフレータを起動してエアバッグ４を展開して乗員を保護する。
【００８７】
実施形態の乗員保護システムでは、二つのセンサ２１，２２が衝突と判定したときに乗員を保護すべき衝突であると判定し、サイドエアバッグ４を起動して乗員を保護する。
【００８８】
そして、実施形態の乗員保護システムでは、二つのセンサ２１，２２が衝突と判定するための判定しきい値を、乗員の搭乗位置（搭乗席の位置）により切り替えている。すなわち、実施形態の乗員保護システムでは、搭乗席ＳＦＬが最前方に位置している場合（フロントモースト）と、最後方に位置している場合（リアモースト）と、で、検出結果が比較される判定しきい値が異なるものとなっている。この結果、搭乗席ＳＦＬが車室内でスライドしても、搭乗席ＳＦＬに搭乗している乗員を確実に保護することができる効果を発揮する。
【００８９】
さらに、実施形態の乗員保護システムでは、二つのセンサ２１，２２間の距離が、ＥＣＵ１からセンサ２１，センサ２２までの距離よりも、短くなっている。これにより、同じ場所に衝突を受け手も、衝突の判定が、実施形態の方が比較形態よりも早い時間で完了する。すなわち、乗員を保護すべき衝突であるか否かの判定が、実施形態では比較形態よりも先に完了する。このことは、実施形態の乗員保護システムの方が、比較形態よりも、エアバッグ４を展開できることを示し、乗員をより保護できることを示す。
【００９０】
以上に説明したように、実施形態の乗員保護システムは、判定しきい値を切り替えることで、高い精度で乗員を保護することができる効果を発揮する。さらに、二つのセンサ２１，２２間の距離が短いことで、より早い時間から乗員を保護できる効果を発揮する。
【符号の説明】
【００９１】
Ｃ：車両
ＤＦＲ，ＤＬ，ＤＲＲ：車両のドア
ＳＦＲ，ＳＦＬ，ＳＲＲ，ＳＲＬ：搭乗席
１：ＥＣＵ
２１，２２：サテライトセンサ
３：シートスライドセンサ
４：サイドエアバッグ
【図１】
2014231302.tif 000003
【図２】
2014231302.tif 000004
【図３】
2014231302.tif 000005
【図４】
2014231302.tif 000006
【図５】
2014231302.tif 000007